(57)【要約】【課題】追いかけ再生時に、現在の記録位置から再生位置までの時間差を視聴者が容易に認識できる映像信号記録再生装置および映像信号記録再生方法を提供することを目的とする。【解決手段】再生位置の時間的な表示を、現在の録画位置から再生位置の時間的な差で表しかつ、段階的にできるだけ簡素な形式で表示する事と、特定の録画予定時間を全体枠として録画時間と再生位置を図示することにより、視聴者が録画時間および再生時間を容易に認識できるようになる。【選択図】  図２
2004172812.tif 000002
【特許請求の範囲】
【請求項１】
入力されたコンテンツの映像信号を所定の記録メディアに所定のファイル形式で記録する記録機能と、前記所定の記録メディアに記録された前記映像信号を再生する再生機能と、再生した前記映像信号とユーザーに知らせたい情報を表示するウィンドウを合成して表示するＯＳＤ（Ｏｎ−Ｓｃｒｅｅｎ  Ｄｉｓｐｌａｙ）機能と、前記ＯＳＤ機能により生成された合成映像信号を出力する機能を有する映像信号記録再生装置であって、入力された前記映像信号を前記所定の記録メディアに記録しながら記録中の前記映像信号のファイルを現在の記録位置より以前に記録した時点の再生位置から読み出して再生していく追いかけ再生状態において、前記ＯＳＤ機能が、前記ウィンドウ内に前記記録位置から前記再生位置の時間差を表示することを特徴とする映像信号記録再生装置。
【請求項２】
時間差を１分未満なら秒単位で表し、６０分未満なら分単位で表し、６０分以上なら時間単位で表すことを特徴とする請求項１記載の映像信号記録再生装置。
【請求項３】
時間差を時間を示す数値と差という文字の組み合わせで表すことを特徴とする請求項１記載の映像信号記録再生装置。
【請求項４】
ウィンドウ内には、当該コンテンツの予定録画時間を表すメータと前記メータ上に前記記録位置を示すマークもしくはメータと前記再生位置を示すマークもしくはメータが含まれていることを特徴とする請求項１記載の映像信号記録再生装置。
【請求項５】
ネットワークで繋がれたサーバーとの通信機能と前記サーバーに蓄積されたデータを受信する機能と、受信した前記データが映像コンテンツに関するものであった場合に、前記データを再生する再生機能と再生した映像信号とユーザーに知らせたい情報を表示するウィンドウを合成して表示するＯＳＤ機能と、前記ＯＳＤ機能により生成された合成映像信号を出力する機能を有する映像信号再生装置であって、前記サーバーとの通信機能により、これらから受信しようとしている映像コンテンツもしくは、現在受信している映像コンテンツのデータ量を知る機能を有し、前記ＯＳＤ機能が、前記ウィンドウ内に前記映像コンテンツの全体データ量中のどの位置のデータを受信し再生しているかを時間差で表示することを特徴とする映像信号再生装置。
【請求項６】
時間差を１分未満なら秒単位で表し、６０分未満なら分単位で表し、６０分以上なら時間単位で表すことを特徴とする請求項５記載の映像信号再生装置。
【請求項７】
ウィンドウ内には、全体データ量を表すメータと前記メータ上の前記再生位置を示すマークが含まれていることを特徴とする請求項５記載の映像信号再生装置。
【請求項８】
受信中の映像コンテンツがサーバー内で記録中のものであり、全体データ量が刻一刻と変化していく場合には、前記サーバーとの通信機能を用いて全体データ量を随時入手し、ウィンドウ内の全体データ量表示を随時変化させていくことを特徴とする請求項５乃至７記載の映像信号再生装置。
【請求項９】
受信中の映像コンテンツがサーバー内で記録中のものであり、かつ所定の記録時間のみ映像コンテンツのデータをサーバー内に残し、前記所定の記録時間を越える場合には最も古いデータから削除していき、前記サーバーとの通信機能を用いてサーバー内の映像コンテンツの記録時間の情報を随時入手し、ウィンドウ内の再生位置の表示を随時変化させていくことを特徴とする請求項５乃至７記載の映像信号再生装置。
【請求項１０】
入力されたコンテンツの映像信号を所定の記録メディアに所定のファイル形式で記録し、前記所定の記録メディアに記録された前記映像信号を再生し、再生した前記映像信号とユーザーに知らせたい情報を表示するウィンドウとを合成し生成された合成映像信号を出力する映像信号記録再生方法であって、入力された前記映像信号を前記所定の記録メディアに記録しながら記録中の前記映像信号のファイルを現在の記録位置より以前に記録した時点の再生位置から読み出して再生していく追いかけ再生状態において、前記ウィンドウ内に前記記録位置から前記再生位置の時間差を表示することを特徴とする映像信号記録再生方法。
【発明の詳細な説明】
【０００１】
【発明の属する技術分野】
本発明は、映像信号を所定の記録メディアに記録・再生する映像信号記録再生装置もしくは所定のサーバーから受信した映像信号データを再生する映像信号再生装置、および映像信号記録再生方法に関するものである。
【０００２】
【従来の技術】
従来の映像信号記録再生装置および映像信号記録再生方法を図１と図６、図７を用いて説明する。
【０００３】
図１は映像信号記録再生装置のブロック図、図６はウインドウの表示状態を示す図、図７は時間表示のフローチャート図である。図１において、１０１は映像信号圧縮部、１０２は音声信号圧縮部、１０３はシステムストリーム生成部、１０４は記録部、１０５は記録メディアであり、この場合記録可能なＤＶＤ（Ｄｉｇｉｔａｌ  Ｖｅｒｓａｔｉｌｅ  Ｄｉｓｋ）とする。１０６は制御部、１０７は再生部、１０８はシステムストリーム分解部、１０９は映像信号伸長部、１１０は音声信号伸長部、１１１はＯＳＤ生成部である。
【０００４】
以上のように構成された映像信号記録再生装置において、デジタル化された映像信号が映像信号圧縮部１０１に入力されると、ＭＰＥＧ−２形式の高能率符号化が行なわれ映像信号ビットストリームとして出力される。
【０００５】
一方、デジタル化された音声信号が音声信号圧縮部１０２に入力されると、ＭＰＥＧ−１形式の高能率符号化が行なわれ音声信号ビットストリームとして出力される。
【０００６】
前記映像信号ビットストリームと前記音声信号ビットストリームがシステムストリーム生成部１０３に入力されると、ＤＶＤのセクタに合ったＭＰＥＧ−２形式のパケット化されたシステムストリームに変換され出力される。
【０００７】
前記システムストリームが記録部１０４に入力されると、所定の記録メディア１０５中の制御部１０６が示す所定の位置に記録される。
【０００８】
入力された映像信号を記録メディア１０５に記録しながら記録中の映像信号のファイルを現在の記録位置より以前に記録した時点の再生位置から読み出して再生していく追いかけ再生時は、再生部１０７が前記記録メディア１０５に記録されたシステムストリームを制御部１０６が示す所定の位置から再生し出力する。
【０００９】
前記システムストリームがシステムストリーム分解部１０８に入力されると、ＭＰＥＧ−２形式のパケットをほどき、映像信号ビットストリームと音声信号ビットストリームに分解して出力する。
【００１０】
前記映像信号ビットストリームが、映像信号伸長部１０９に入力されると、ＭＰＥＧ−２形式の高能率復号化が行なわれ映像信号として出力される。
【００１１】
前記音声信号のビットストリームが、音声信号伸長部１１０に入力されると、ＭＰＥＧ−１形式の高能率復号化が行なわれ音声信号として出力される。
【００１２】
再生された映像入力信号がＯＳＤ生成部１１１に入力されると、連続する映像信号の１フレームである画面内の所定の位置にウィンドウを映像が透ける形式（アルファブレンディング）で重ね合わせたり、所定の位置の映像を別のウィンドウで差換えたりした映像信号を出力する。ここでウィンドウとは、映像信号と合成される情報表示部を表し、その形状は任意である。図６は矩形のウィンドウの一例を示す。
【００１３】
ここで従来のウィンドウ内の情報の表示の方法について図６および図７を用いて説明する。
【００１４】
図６において左側に示されている数字は、上側が現在の録画時間であり、下側が現在の再生時間である。録画時間、再生時間ともに時間、分、秒を常に表示している。この時間表示は図７のフローチャート図で示すように、制御部１０６から録画（記録）時間（ＲｅｃＴｉｍｅとする）および再生（位置）時間（ＰｌａｙＴｉｍｅとする）を取得し、ＯＳＤ生成部１１１に表示される。録画時間と再生位置がそのまま表示される。
【００１５】
また、図６において四角の枠で示された外枠の部分はディスク全体の録画時間を表している。また枠内の斜線部分は右端がディスク全体における現在の録画時間を示し、斜線部分のサイズが全体の録画時間を示している。
【００１６】
また、枠の下にある（黒色の）三角が現在の再生位置を示しており、三角の上側の頂点が指す位置がディスク全体における現在の再生位置を示している。
【００１７】
図６に示すウィンドウは通常映像表示装置（図示せず）の画面上の端部近傍に表示される。
【００１８】
なお、再生時間の表示に関する特許文献としては下記のものがあるが、これは単に記憶された映像を再生する際に現在の再生位置を視覚的に表示させるものであって、記録中に再生を行う追いかけ再生の場合における表示方法に関するものではない。
【００１９】
【特許文献１】
特開２０００−２２８７５６号公報
【００２０】
【発明が解決しようとする課題】
しかしながら、従来の映像信号記録再生装置および映像信号記録再生方法では、再生開始時点からの時間を時間、分、秒を常に表示するために、多くの数字を表示する必要があり、視聴者が認識しづらい場合があったり、記録領域全体における再生位置を示しているために、追いかけ再生時に現在の記録位置からの再生位置の時間差などがわかりづらかったりするなどの課題を有していた。
【００２１】
本発明は上記従来の問題点を解決するもので、追いかけ再生時に、現在の記録位置から再生位置までの時間差を視聴者が容易に認識できる映像信号記録再生装置および映像信号記録再生方法を提供することを目的とする。
【００２２】
【課題を解決するための手段】
本発明の第１の発明の映像信号記録再生装置は、入力されたコンテンツの映像信号を所定の記録メディアに所定のファイル形式で記録する記録機能と、前記所定の記録メディアに記録された前記映像信号を再生する再生機能と、再生した前記映像信号とユーザーに知らせたい情報を表示するウィンドウを合成して表示するＯＳＤ（Ｏｎ−Ｓｃｒｅｅｎ  Ｄｉｓｐｌａｙ）機能と、前記ＯＳＤ機能により生成された合成映像信号を出力する機能を有する映像信号記録再生装置であって、入力された前記映像信号を前記所定の記録メディアに記録しながら記録中の前記映像信号のファイルを現在の記録位置より以前に記録した時点の再生位置から読み出して再生していく追いかけ再生状態において、前記ＯＳＤ機能が、前記ウィンドウ内に前記記録位置から前記再生位置の時間差を表示するものであり、前記時間差を１分未満なら秒単位で表し、６０分未満なら分単位で表し、６０分以上なら時間単位で表すことを特徴とする。
【００２３】
本発明の第２の発明の映像信号記録再生装置は、入力された映像信号を所定の記録メディアに所定のファイル形式で記録する機能と、所定の記録メディアに記録された所定のファイル形式の映像を再生する再生機能と、再生した前記映像信号とユーザーに知らせたい情報を表示するウィンドウを合成して表示するＯＳＤ機能と、前記ＯＳＤ機能により生成された合成映像信号を出力する機能を有する映像信号記録再生装置であって、入力された前記映像信号を前記所定の記録メディアに記録しながら記録中の前記映像信号のファイルを現在の記録位置より以前に記録した時点の再生位置から読み出して再生していく追いかけ再生状態において、前記ＯＳＤ機能が、前記ウィンドウ内に前記記録位置から前記再生位置の時間差を表示するものであり、ウィンドウ内には、当該コンテンツの予定録画時間を表すメータと前記メータ上に前記記録位置を示すマークもしくはメータと前記再生位置を示すマークもしくはメータが含まれていることを特徴とする。
【００２４】
本発明の第３の発明の映像信号再生装置は、ネットワークで繋がれたサーバーとの通信機能とサーバーに蓄積されたデータを受信する機能と、前記受信したデータが映像コンテンツに関するものであった場合にそれを再生する機能と再生した映像信号とユーザーに知らせたい情報を表示するウィンドウを合成して表示するＯＳＤ機能と、前記ＯＳＤ機能により生成された合成映像信号を出力する機能を有する映像信号再生装置であって、前記サーバーとの通信機能により、これらから受信しようとしている映像コンテンツもしくは、現在受信している映像コンテンツのデータ量を知る機能を有し、前記ＯＳＤ機能が、前記ウィンドウ内に前記映像コンテンツの全体データ量中のどの位置のデータを受信し再生しているかを時間差で表示するものであり、前記時間差を１分未満なら秒単位で表し、６０分未満なら分単位で表し、６０分以上なら時間単位で表す事を特徴とする。
【００２５】
本発明の第４の発明の映像信号再生装置は、ネットワークで繋がれたサーバーとの通信機能とサーバーに蓄積されたデータを受信する機能と、前記受信したデータが映像コンテンツに関するものであった場合にそれを再生する再生機能と再生した映像信号とユーザーに知らせたい情報を表示するウィンドウを合成して表示するＯＳＤ機能と、前記ＯＳＤ機能により生成された合成映像信号を出力する機能を有する映像信号再生装置であって、前記サーバーとの通信機能により、これらから受信しようとしている映像コンテンツもしくは、現在受信している映像コンテンツのデータ量を知る機能を有し、前記ＯＳＤ機能が、前記ウィンドウ内に前記映像コンテンツの全体データ量中のどの位置のデータを受信し再生しているかを時間差で表示するものであり、ウィンドウ内には、全体データ量を表すメータと前記メータ上の前記再生位置を示すマークが含まれていることを特徴とする。
【００２６】
【発明の実施の形態】
以下に、本発明の映像信号記録再生装置および映像信号記録再生方法の実施の形態を図を用いて説明する。
【００２７】
（実施の形態１）
図２は本発明の第１の実施の形態の映像信号記録再生装置におけるウインドウの表示状態を示す図、図３は時間表示のフローチャートである。映像信号記録再生装置の構成を示すブロック図は従来の映像信号記録再生装置の図１と同じであるため説明を省略する。
【００２８】
時間表示は図３のフローチャートで示すように、制御部１０６が録画（記録）時間（ＲｅｃＴｉｍｅとする）および再生（位置）時間（ＰｌａｙＴｉｍｅとする）を取得し、ＯＳＤ生成部１１１に表示される。この時、映像信号記録再生装置が追いかけ再生中でなければ従来と同様の時間表示を行う。
【００２９】
映像信号記録再生装置が追いかけ再生中の場合、制御部１０６が取得した録画（記録）時間と再生（位置）時間の時間差を算出し、図２に示すようにＯＳＤ生成部１１１に表示する。
【００３０】
時間差計算では、記録位置（録画時間）と再生位置（再生時間）を取得し、追いかけ再生中ならば前記記録位置と前記再生位置の差を求め、その差が６０秒未満なら秒単位、６０分未満なら分単位、６０分以上なら時間単位で表示する。追いかけ再生でなければ、従来の再生形式（ｈｈ：ｍｍ：ｓｓ）で表示する。
【００３１】
図２において、右側に示されている“１１分差”という表示は、現在の録画位置から再生位置の時間的な差を表したものであり、１分未満なら秒単位で表し、６０分未満なら分単位で表し、６０分以上なら時間単位で表す。
【００３２】
したがって、図２の“１１分差”とは、現在の録画位置から再生位置の時間的な差が１１分００秒以上１１分５９秒より少ないことを示す。
【００３３】
ただし、この表示形式はこれに限らず１０分３０秒以上１１分３０秒より少ない場合に“１１分差”と表示するなど、ある決まったオフセットを設定しておいて切り替えても良い。
【００３４】
また、図２において四角の枠で示された外枠の部分はある特定の録画予定時間を表している。
【００３５】
本実施の形態の映像信号記録再生装置では、録画時に録画予定時間が設定されている。
【００３６】
例えば予約録画の場合には、予約時に録画時間が設定されているし、手動録画時でも１度リモコンを押すと所定の時間、たとえば２時間の録画が行なわれるようになっている。四角の枠で示された外枠の部分はこのように決まった録画時間を示している。また、枠内の斜線部分は右端が特定の録画予定時間における現在の録画時間を示し、斜線部分のサイズが現在の総録画時間を示している。枠の下にある黒色の三角が現在の再生位置を示しているものであり、三角の上側の頂点が指す位置が特定の録画予定時間における現在の再生位置を示している。
【００３７】
このように本実施の形態の映像信号記録再生装置では、再生位置の時間的な表示を現在の録画位置から再生位置の時間的な差で表し、かつ、段階的にできるだけ簡素な形式で表示する事により、視聴者が再生位置を容易に認識できるようになる。
【００３８】
また、特定の録画予定時間を全体枠として録画位置と再生位置を図示することにより、視聴者が録画時間および再生時間を容易に認識できるようになる。
【００３９】
なお、本実施の形態で示したウィンドウ内表示は一例であって、今回の実施の形態に示していない記録のレートやシステムの状態表示や設定されているパラメータなどの他の情報が含まれていてもよい。
【００４０】
本実施の形態では、録画予定時間を枠として表示していたが、これを線で表示し、現在の録画位置をマーカで示しても良い。
【００４１】
本実施の形態では、ウィンドウを横長にして、左から右へ時間が経過するように表現しているが、右から左へ時間が経過するように表現しても良いし、ウィンドウを縦長にして、上から下もしくは下から上へ時間が経過するように表現しても良い。
【００４２】
また、追いかけ再生は、再生速度を早くしたり、所定の部分の再生をスキップする事によって平均再生速度を早くしたりするような追いつき再生であっても構わない。
【００４３】
本実施の形態では、圧縮して記録し、伸長して再生するようになっているが、ビデオテープレコーダのようにアナログ信号を記録再生する場合は、圧縮・伸長する必要は無く、再生された映像信号にＯＳＤ機能を用いれば良い。
【００４４】
また、本実施の形態では音声信号についても記録・再生するようになっているが映像信号についてだけでもよいし、音声信号だけでもよい。
【００４５】
記録メディアは、テープやＨＤＤでもよい。
【００４６】
（実施の形態２）
図４は本発明の第２の実施の形態の映像信号再生装置のブロック図、図５はウインドウの表示状態を示す図である。図４において、４０１は映像信号圧縮部、４０２は音声信号圧縮部、４０３はシステムストリーム生成部、４０４は記録部、４０５は記録メディア、４０６は制御部、４０７は再生部、４０８はネットワークインターフェース部、４０９は制御部、４１０はネットワークインターフェース部、４１１はシステムストリーム分解部、４１２は映像信号伸長部、４１３は音声信号伸長部、４１４はＯＳＤ生成部である。
【００４７】
ここで、４０１から４０８を括った枠内がサーバーを示し、４０９から４１４を括った枠内が本発明の第２の発明である映像信号再生装置を示している。
【００４８】
まずサーバーについて説明する。本発明の第２の実施の形態である映像信号再生装置に対するサーバーは映像信号もしくは映像信号と音声信号を所定の形式に変換して、ＩＰプロトコルや無線電送プロトコルなどのネットワークに繋がっている端末に対して発信する機能を有するものである。
【００４９】
以上のように構成されたサーバーおよび映像信号再生装置において、まずサーバーの動作について説明する。
【００５０】
サーバー内において、デジタル化された映像信号が映像信号圧縮部４０１に入力されると、ＭＰＥＧ−２形式の高能率符号化が行なわれ映像信号ビットストリームとして出力される。
【００５１】
デジタル化された音声信号が音声信号圧縮部４０２に入力されると、ＭＰＥＧ−１形式の高能率符号化が行なわれ音声信号ビットストリームとして出力される。
【００５２】
前記映像信号ビットストリームと前記音声信号ビットストリームがシステムストリーム生成部４０３に入力されると、ＤＶＤのセクタに合ったＭＰＥＧ−２形式のパケット化されたシステムストリームに変換され出力される。
【００５３】
前記システムストリームが記録部４０４に入力されると、記録メディア４０５の制御部４０６が示す所定の位置に記録される。
【００５４】
制御部４０６はネットワークを介して繋がった端末からのリクエストに応じて、記録メディア４０５中の所定のファイルの所定の位置からシステムストリームを再生するように再生部４０７を制御する。
【００５５】
再生部４０７は制御部４０６に指示されたシステムストリームを記録メディア４０５から再生し出力する。
【００５６】
ネットワークインターフェース部４０８は、再生部４０７からの出力であるシステムストリームを制御部４０６に指示されたネットワーク上の端末へ送信する。
【００５７】
ここで、サーバーは映像信号・音声信号の入力を行なわず、映像信号圧縮部４０１、音声信号圧縮部４０２、システムストリーム生成部４０３、記録部４０４を持たないで、あらかじめシステムストリームが記録された記録メディア４０５から再生部４０７が再生する機能だけ有していても良いし、記録中のシステムストリームが所定の記録時間、例えば１０分を越えた場合に、１０分以上前に記録したシステムストリームから順に削除していっても良い。
【００５８】
以上のようなサーバーがネットワーク上にある場合に、本発明の第２の実施の形態である映像信号再生装置の動作について説明する。
【００５９】
制御部４０９は、ネットワークインターフェース部４１０を介してサーバーに接続要求の送信を行ない、その後、コンテンツの配信要求を行なう。
【００６０】
これを前記ネットワークインタフェース部４０８で受けたサーバーは、サーバー内の前記制御部４０６でこれを認証・認識し、前記再生部４０７に前記記録メディア４０５から指定されたコンテンツの指定された位置からのシステムストリームを再生させ、前記ネットワークインタフェース部４０８を介して、映像信号再生装置に伝送する。
【００６１】
映像信号再生装置は、前記ネットワークインタフェース部４０８を介して出力されたシステムストリームをネットワークインターフェース部４１０で受信し、システムストリーム分解部４１１に出力する。
【００６２】
前記システムストリームがシステムストリーム分解部４１１に入力されると、ＭＰＥＧ−２形式のパケットをほどき、映像信号ビットストリームと音声信号ビットストリームに分解して出力する。
【００６３】
前記映像信号ビットストリームが、映像信号伸長部４１２に入力されると、ＭＰＥＧ−２形式の高能率復号化が行なわれ映像信号として出力される。
【００６４】
前記音声信号のビットストリームが、音声信号伸長部４１３に入力されると、ＭＰＥＧ−１形式の高能率復号化が行なわれ音声信号として出力される。
【００６５】
再生された映像入力信号がＯＳＤ生成部４１４に入力されると、連続する映像信号の１フレームである画面内の所定の位置にウィンドウを映像が透ける形式（アルファブレンディング）で重ね合わせたり、所定の位置の映像を別のウィンドウで差換えたりした映像信号を出力する。
【００６６】
ここでウィンドウ内の情報の表示の仕方について図５を用いて説明する。
【００６７】
図５において右側に示されている“１１分差”という表示は、現在の再生可能な位置から現在の再生位置の時間的な差を表したものであり、１分未満なら秒単位で表し、６０分未満なら分単位で表し、６０分以上なら時間単位で表す。
【００６８】
したがって、図５の“１１分差”とは、現在の再生可能な位置から現在の再生位置の時間的な差が１１分００秒以上１１分５９秒より少ないことを示す。
【００６９】
ただし、この表示形式はこれに限らず１０分３０秒以上１１分３０秒より少ない場合に“１１分差”と表示するなど、ある決まったオフセットを設定しておいて切り替えても良い。
【００７０】
ここで、現在の再生可能な位置とは、サーバーに指定したコンテンツが、既にサーバー内の記録メディア４０５に記録済みのコンテンツであれば、全体の記録時間をサーバーとの初期通信時に知ることができるので、コンテンツの記録時間が現在の再生可能な位置となり、また、サーバーに指定したコンテンツが現在記録中のコンテンツである場合は、記録時間が実時間進行分随時増加して行くために、現在の再生可能な位置は随時変化し、また、サーバーに指定したコンテンツが現在記録中のコンテンツであり、かつ、所定の記録時間、例えば１０分を越えた場合に、１０分以上前に記録したシステムストリームから順に削除していく場合は、現在の再生可能な位置の全体は１０分を意味する事になる。
【００７１】
また、図５において四角の枠で示された斜線部分は、ある所定の記録時間を表している。つまり、現在の再生可能な位置と同様に、サーバーに指定したコンテンツが既にサーバー内の記録メディア４０５に記録済みのコンテンツであれば、全体の記録時間をサーバーとの初期通信時に知ることができるので、コンテンツの記録時間が所定の記録時間となり、また、サーバーに指定したコンテンツが現在記録中のコンテンツである場合は、記録時間が実時間進行分随時増加して行くために、所定の記録時間は、随時増加し、また、サーバーに指定したコンテンツが現在記録中のコンテンツであり、かつ、所定の記録時間、例えば１０分を越えた場合に、１０分以上前に記録したシステムストリームから順に削除していく場合は、所定の記録時間は１０分を意味する事になる。
【００７２】
従来の映像信号再生装置では、図５のような再生位置表示方法としては、サーバーに記録されているコンテンツを再生する場合には、コンテンツの記録時間を表示していたが、それ以外のコンテンツの形態を取り扱うサーバーがなかった。
【００７３】
また、枠の下にある黒色の三角が現在の再生位置を示しているものであり、三角の上側の頂点が指す位置が特定の記録時間における現在の再生位置を示している。
【００７４】
このように本発明の第２の映像信号再生装置では、再生位置の時間的な表示を現在の記録位置から再生位置の時間的な差で表し、かつ、段階的にできるだけ簡素な形式で表示する事により、視聴者が再生位置を容易に認識できるようになる。
【００７５】
また、複数のタイプのコンテンツを取り扱うサーバーに対して、どのモードにおいても再生時間を容易に認識できるようになる。
【００７６】
なお、実施の形態で示したウィンドウ内表示は一例であって、今回の実施の形態に示していない記録のレートやシステムの状態表示や設定されているパラメータなどの他の情報が含まれていてもよい。
【００７７】
本実施の形態では、ウィンドウを横長にして、左から右へ時間が経過するように表現しているが、右から左へ時間が経過するように表現しても良いし、ウィンドウを縦長にして、上から下もしくは下から上へ時間が経過するように表現しても良い。
【００７８】
本実施の形態では音声信号についても記録・再生するようになっているが映像信号についてだけでもよいし、音声信号だけでもよい。
【００７９】
記録メディアは、テープやＨＤＤやディスクでもよい。
【００８０】
【発明の効果】
本発明の第１の発明の映像信号記録再生装置は、再生位置の表示を録画位置からの差であり、かつ、段階的に表示し、また、特定の録画予定時間を全体枠として録画時間と再生位置を図示することにより、視聴者が録画時間および再生時間を容易に認識できるようになる。
【００８１】
また、本発明の第２の発明の映像信号再生装置は、再生位置の表示を記録位置からの差であり、かつ、段階的に表示し、また、複数のタイプのコンテンツを取り扱うサーバーに対して、どのモードにおいても視聴者が再生時間を容易に認識できるようになる。
【図面の簡単な説明】
【図１】映像信号記録再生装置のブロック図
【図２】本発明の第１の実施の形態の映像信号記録再生装置におけるウインドウの表示状態を示す図
【図３】本発明の第１の実施の形態の映像信号記録再生装置における時間表示のフローチャート
【図４】本発明の第２の実施の形態の映像信号再生装置とサーバのブロック図
【図５】本発明の第２の実施の形態の映像信号再生装置におけるウインドウの表示状態を示す図
【図６】従来の映像信号記録再生装置におけるウインドウの表示状態を示す図
【図７】従来の映像信号記録再生装置における時間表示のフローチャート
【符号の説明】
１０１、４０１  映像信号圧縮部
１０２、４０２  音声信号圧縮部
１０３、４０３  システムストリーム生成部
１０４、４０４  記録部
１０５、４０５  記録メディア
１０６、４０６、４０９  制御部
１０７、４０７  再生部
１０８、４１１  システムストリーム分解部
１０９、４１２  映像信号伸長部
１１０、４１３  音声信号伸長部
１１１、４１４  ＯＳＤ生成部
４０８、４１０  ネットワークインターフェース部
【図１】
2004172812.tif 000003
【図２】
2004172812.tif 000004
【図３】
2004172812.tif 000005
【図４】
2004172812.tif 000006
【図５】
2004172812.tif 000007
【図６】
2004172812.tif 000008
【図７】
2004172812.tif 000009